(57)【要約】【課題】まぶたを閉じた状態では、映像を視ることができ、まぶたを開けた状態では、実世界を見ることができる表示装置を提供すること。【解決手段】表示装置１００は、検知部１０１、表示部１０２、表示制御部１０３および図示しない電源部を備える。検知部１０１は、まぶたの開閉を検知する。表示部１０２は、まぶたの動きに連動するように当該まぶたの裏面に装着され、映像を表示する。表示制御部１０３は、検知部１０１によって検知された検知結果に基づいて、表示部１０２への映像の表示を制御する。表示制御部１０３がおこなう制御とは、検知部１０１がまぶたが閉じたことを検知した場合は、表示部１０２に映像を表示させ、まぶたが開いたことを検知した場合は、表示部１０２に映像を表示させないことである。【選択図】図１
2007127716.tif 000002
【特許請求の範囲】
【請求項１】
まぶたの開閉を検知する検知手段と、
前記まぶたの動きに連動するように当該まぶたの裏面に装着された表示手段と、
前記検知手段によって検知された検知結果に基づいて、前記表示手段への映像の表示を制御する表示制御手段と、
を備えることを特徴とする表示装置。
【請求項２】
前記表示制御手段は、前記検知手段によって前記まぶたが閉じたことを検知した場合は、前記表示手段に前記映像を表示させるように制御することを特徴とする請求項１に記載の表示装置。
【請求項３】
前記表示制御手段は、前記検知手段によって前記まぶたが開いたことを検知した場合は、前記表示手段に前記映像を表示させないように制御することを特徴とする請求項１に記載の表示装置。
【請求項４】
映像信号を取得する取得手段をさらに備えることを特徴とする請求項１〜３のいずれか一つに記載の表示装置。
【請求項５】
前記表示制御手段は、左右両方のまぶたの裏面に装着された前記表示手段にそれぞれ異なる映像を表示させるように制御することを特徴とする請求項１〜４のいずれか一つに記載の表示装置。
【請求項６】
前記表示手段は、有機ＥＬディスプレイを用いて前記表示制御手段の制御に基づいて、映像を表示することを特徴とする請求項１〜５のいずれか一つに記載の表示装置。
【請求項７】
まぶたの開閉を検知する検知工程と、
前記検知工程によって検知された検知結果に基づいて、前記まぶたの動きに連動するように当該まぶたの裏面に装着された表示手段への映像の表示を制御する表示制御工程と、
を含んだことを特徴とする表示方法。
【請求項８】
請求項７に記載の表示方法をコンピュータに実行させることを特徴とする表示プログラム。
【請求項９】
請求項８に記載の表示プログラムを記録したことを特徴とするコンピュータに読み取り可能な記録媒体。
【発明の詳細な説明】
【技術分野】
【０００１】
この発明は、映像を表示する表示装置、表示方法、表示プログラムおよびコンピュータに読み取り可能な記録媒体に関する。ただし、この発明の利用は、上述した表示装置、表示方法、表示プログラムおよびコンピュータに読み取り可能な記録媒体には限られない。
【背景技術】
【０００２】
従来、ユーザの眼球に直接液晶ディスプレイを装着し、この液晶ディスプレイに映像を表示させるための液晶駆動回路を有した内部装置をユーザのまぶたの裏面に設け、さらに、この内部装置の液晶駆動回路に映像信号を伝送するための映像送信アンテナを有した外部装置をユーザのまぶたの表面に設けた表示装置が提案されている。この表示装置を用いることによって、ユーザは、まぶたを閉じたままでも映像を見ることができる（たとえば、下記特許文献１参照。）。
【０００３】
【特許文献１】特開平１１−１２７４０２号公報
【発明の開示】
【発明が解決しようとする課題】
【０００４】
しかしながら、上記従来技術の表示装置では、ユーザがまぶたを開けても、液晶ディスプレイがユーザの眼球に装着されているため、ユーザは、実世界を見る場合、液晶ディスプレイをユーザの眼球からはずさなければならず、利便性に欠けるという問題が一例として挙げられる。また、表示装置として液晶ディスプレイを用いるため、目の中にバックライトを設けることが難しいという問題が一例として挙げられる。
【課題を解決するための手段】
【０００５】
上述した課題を解決し、目的を達成するため、請求項１の発明にかかる表示装置は、まぶたの開閉を検知する検知手段と、前記まぶたの動きに連動するように当該まぶたの裏面に装着された表示手段と、前記検知手段によって検知された検知結果に基づいて、前記表示手段への映像の表示を制御する表示制御手段と、を備えることを特徴とする。
【０００６】
また、請求項７の発明にかかる表示方法は、まぶたの開閉を検知する検知工程と、前記検知工程によって検知された検知結果に基づいて、前記まぶたの動きに連動するように当該まぶたの裏面に装着された表示手段への映像の表示を制御する表示制御工程と、を含んだことを特徴とする。
【０００７】
また、請求項８の発明にかかる表示プログラムは、請求項７に記載の表示方法をコンピュータに実行させることを特徴とする。
【０００８】
また、請求項９の発明にかかるコンピュータに読み取り可能な記録媒体は、請求項８に記載の表示プログラムを記録したことを特徴とする。
【発明を実施するための最良の形態】
【０００９】
以下に添付図面を参照して、この発明にかかる表示装置、表示方法、表示プログラムおよびコンピュータに読み取り可能な記録媒体の好適な実施の形態を詳細に説明する。
【００１０】
（実施の形態）
（表示装置の機能的構成）
図１を用いて、本実施の形態にかかる表示装置の機能的構成について説明する。図１は、本実施の形態にかかる表示装置の機能的構成の一例を示すブロック図である。
【００１１】
図１において、表示装置１００は、検知部１０１と、表示部１０２と、表示制御部１０３と、図示しない電源部を備えて構成されている。
【００１２】
検知部１０１は、ユーザのまぶたの開閉を検知する。検知部１０１は、ユーザのまぶたの動きによってユーザのまぶたの開閉を検知してもよいし、たとえばユーザがまぶたの開閉を図示しない操作部に入力することによってまぶたの開閉を検知してもよい。
【００１３】
表示部１０２は、ユーザのまぶたの動きに連動するように当該まぶたの裏面に装着されている。そして、表示部１０２は、映像を表示する。映像は、具体的に、たとえばテレビカメラなどで撮像した動画像などを無線あるいは有線で送信するための電気信号である。ここで、まぶたの動きとの連動とは、表示部１０２がまぶたの裏面に最初に装着された位置からずれることなく、まぶたが開閉したときに、表示部１０２がまぶたとともに動くことである。
【００１４】
表示制御部１０３は、検知部１０１によって検知された検知結果に基づいて、表示部１０２への映像の表示を制御する。ここで、表示制御部１０３がおこなう制御とは、たとえば検知部１０１がユーザのまぶたが閉じたことを検知した場合は、表示部１０２に映像を表示させることである。また、表示制御部１０３がおこなう制御とは、検知部１０１がユーザのまぶたが開いたことを検知した場合は、表示部１０２に映像を表示させないことである。
【００１５】
また、図示しない電源部は、それぞれの機能を担うデバイスに電力を供給する。この電源部は、たとえば小型の電池、あるいは体温を電気エネルギーに変換する素子を用いても良い。また、表示装置１００は、映像信号を取得する図示しない取得部をさらに設ける構成としてもよい。取得部は、まぶたの裏面に装着された表示部１０２とともにまぶたの裏面に設ける構成としてもよいし、外部装置として、たとえばまぶたの表面などに設ける構成としてもよい。取得部が取得する映像信号は、たとえばテレビ局から送信されるテレビ番組や映画である。また、映像信号は、上述したように、映像を電気信号化したものであり、具体的には、たとえばテレビカメラなどで撮像した動画像などを無線あるいは有線で送信するための電気信号である。
【００１６】
（表示装置の処理の内容）
つぎに、図２を用いて、本実施の形態にかかる表示装置１００の処理の内容について説明する。図２は、本実施の形態にかかる表示装置の処理の内容を示すフローチャートである。図２のフローチャートにおいて、まず、検知部１０１は、ユーザのまぶたの開閉を検知する（ステップＳ２０１）。検知部１０１がユーザのまぶたの開閉を検知する方法は、たとえばユーザのまぶたの動きによって、ユーザのまぶたの開閉を検知してもよいし、ユーザがまぶたの開閉を図示しない操作部に入力することによって、まぶたの開閉を検知してもよい。
【００１７】
つづいて、まぶたの裏面に装着された表示部１０２は、映像を表示する（ステップＳ２０２）。ここで、映像は、具体的に、たとえばテレビカメラなどで撮像した動画像などを無線あるいは有線で送信するための電気信号である。
【００１８】
つぎに、表示制御部１０３は、検知部１０１によって検知された検知結果に基づいて、表示部１０２への映像の表示を制御し（ステップＳ２０３）、一連の処理を終了する。表示制御部１０３がおこなう制御とは、たとえば検知部１０１がユーザのまぶたが閉じたことを検知した場合は、表示部１０２に映像を表示させることである。また、検知部１０１がユーザのまぶたが開いたことを検知した場合は、表示部１０２に映像を表示させないことである。
【００１９】
以上説明したように、本実施の形態によれば、ユーザは、まぶたを閉じた状態で映像を視ることができ、さらに、ユーザがまぶたを開けることによって実世界を見ることができる。したがって、ユーザは、表示装置１００をはずすことなく、実世界を見ることができ、利便性の向上を図ることができる。
【実施例１】
【００２０】
以下に、本発明の実施例１について説明する。実施例１では、たとえばユーザがまぶたの裏面に装着する表示部を有する、まぶた裏表示装置によって、本発明の表示装置を実施した場合の一例について説明する。
【００２１】
（まぶた裏表示装置のハードウェア構成）
図３を用いて、実施例１にかかるまぶた裏表示装置のハードウェア構成について説明する。図３は、実施例１にかかるまぶた裏表示装置のハードウェア構成の一例を示すブロック図である。
【００２２】
図３において、まぶた裏表示装置３００は、制御部３０１と、信号受信部３０２と、信号処理部３０３と、検知部３０４と、映像表示部３０５と、ユーザ操作部３０６と、図示しない電源部によって構成されている。この実施例では、映像表示部３０５がユーザのまぶたの裏に装着され、他の機能部は外装されている形態である。
【００２３】
制御部３０１は、たとえばまぶた裏表示装置３００全体を制御する。制御部３０１は、たとえば所定の演算処理を実行するＣＰＵ（Ｃｅｎｔｒａｌ  Ｐｒｏｃｅｓｓｉｎｇ  Ｕｎｉｔ）や各種制御プログラムを格納するＲＯＭ（Ｒｅａｄ  Ｏｎｌｙ  Ｍｅｍｏｒｙ）、およびＣＰＵのワークエリアとして機能するＲＡＭ（Ｒａｎｄｏｍ  Ａｃｃｅｓｓ  Ｍｅｍｏｒｙ）などによって構成されるマイクロコンピュータやＥＣＵ（Ｅｌｅｃｔｒｏｎｉｃ  Ｃｏｎｔｒｏｌ  Ｕｎｉｔ）などによって実現できる。
【００２４】
信号受信部３０２は、各種情報を外部から受信する。各種情報は、テレビ放送や衛星放送などの電波である。具体的に、たとえば外部のテレビ局などからの放送信号を受信する。放送信号は、映像信号や音声信号などを含んだ信号である。また、インターネット通信を利用して、サーバから各種情報を受信してもよい。信号受信部３０２は、たとえば受信アンテナ、チューナーなどによって構成されている。
【００２５】
信号処理部３０３は、たとえばビデオボードなどによって構成されており、信号受信部３０２によって受信した信号を映像表示部３０５が表示できる映像信号に変換するための処理をおこなう。
【００２６】
そして、処理後の映像信号を制御部３０１の制御に従って、映像表示部３０５に出力する。ここで、テレビカメラによって映像を撮影した場合の映像信号の変換を一例として挙げて説明する。テレビカメラによって撮影された映像は、赤、緑、青の３つの成分に分離されて、テレビカメラ内に設けられている撮像デバイスによって各成分の映像をＲＧＢ（Ｒｅｄ  Ｇｒｅｅｎ  Ｂｌｕｅ）信号に変換される。
【００２７】
このＲＧＢ信号は、テレビ局から映像信号として送信するには、データ量が多すぎるため、たとえばコンポーネント信号などの送信し易い映像信号に処理されて送信される。そして、テレビ局から送信されたこのコンポーネント信号などの映像信号を信号受信部３０２などによって受信する。この映像信号を映像表示部３０５に表示させるときには、映像表示部３０５が表示できる信号であるＲＧＢ信号に変換する必要があり、この変換などの処理を信号処理部３０３がおこなう。そして、制御部３０１の制御に従って、信号処理部３０３は、変換した映像信号を映像表示部３０５に出力する。
【００２８】
検知部３０４は、まぶた裏表示装置３００を使用するユーザのまぶたの開閉を検知する。検知部３０４は、たとえばユーザのまぶたの表面に設けられ、まぶたの筋肉に流れる電流を検知部３０４が検出することによって、まぶたの筋肉の動きを判断し、まぶたの開閉を検知するように構成してもよい。また、ユーザがユーザ操作部３０６を介してまぶたが閉じたなどの入力操作をおこない、検知部３０４がこの入力操作に基づいて、まぶたの開閉を検知するように構成してもよい。
【００２９】
映像表示部３０５は、ユーザのまぶたの動きに連動するように当該まぶたの裏面に装着されており、信号処理部３０３によって処理された映像信号を表示する。映像表示部３０５は、ディスプレイ自体が非常に薄く（たとえば１．５ｍｍ程度）、かつディスプレイに光
を照射するための光源であるバックライトを必要としないディスプレイを用いて構成する。たとえばディスプレイ自体が自発光することによって、バックライトを必要としない、有機ＥＬ（Ｅｌｅｃｔｒｏｌｕｍｉｎｅｓｃｅｎｃｅ）ディスプレイなどを用いて構成してもよい。
【００３０】
また、映像表示部３０５をユーザのまぶたの裏面に装着した際に、ユーザの眼球側となる映像表示部３０５の表面には、図４および図５において後述するレンズを設ける構成としてもよい。なお、映像表示部３０５は、ユーザの左右両方のまぶたの裏面に装着されていても、片方のまぶたの裏面に装着されていてもよく、ユーザのまぶたから脱着可能な構成としてもよい。本実施例１では、映像表示部３０５は、ユーザの左右両方のまぶたの裏面に装着されている。
【００３１】
なお、映像表示部３０５をまぶたの裏面に装着するには、たとえば接着剤などを用いて貼り付けてもよいし、吸盤の原理を利用して、まぶたの裏面と映像表示部３０５との間の中間部分の圧力を低下させるように映像表示部３０５をまぶたの裏面に押しつけて装着できる構成にしてもよい。いずれの構成によっても、ユーザがまぶたを開閉したときに、まぶたの動きに連動して映像表示部３０５が動き、最初に装着した位置から映像表示部３０５がずれないように構成する。
【００３２】
ユーザ操作部３０６は、電源のＯＮ／ＯＦＦ、ユーザが所望する映像を送信するテレビ局の選択、各種指示など、ユーザによって入力操作された情報を制御部３０１に対して出力する。このユーザ操作部３０６は、たとえば押しボタン式スイッチ、タッチパネル、リモコンなどによって構成される。また、ユーザ操作部３０６は、外部からの音声を入力するマイクなどを用いて、音声によって入力操作をおこなう構成としてもよい。また、図示しない電源部は、それぞれの機能を担うデバイスに電力を供給する。この電源部は、たとえば小型の電池、あるいは体温と外気温の差による熱電対の原理を利用するなど方法により体温を電気エネルギーへ変換するデバイスを用いてもよい。
【００３３】
なお、実施の形態にかかる表示装置１００の機能的構成である検知部１０１は検知部３０４によって、表示部１０２は映像表示部３０５によって、表示制御部１０３は制御部３０１および信号処理部３０３によって、それぞれその機能を実現する。
【００３４】
つぎに、まぶた裏表示装置３００の映像表示部３０５がユーザのまぶたに連動して、動く際の動作の説明をする。図４は、映像表示部を装着時にユーザがまぶたを閉じている状態を拡大して示す側面図である。また、図５は、映像表示部を装着時にユーザがまぶたを開けている状態を拡大して示す側面図である。なお、以降において、既に説明した部分と重複する箇所には、同一の符号を附して説明を省略する。
【００３５】
図４に示すように、ユーザがまぶた４０３を閉じている状態のときは、まぶた４０３の裏面に装着された映像表示部３０５が角膜４０２を覆っている。映像表示部３０５の眼球４０１側の表面には、レンズ４０４が設けられている。レンズ４０４は、ユーザが映像表示部３０５を見るときに、映像がぼやけて見えないように、ピントを調整する。さらに、レンズ４０４は、映像表示部３０５をまぶた４０３の裏面に装着する際に、たとえばユーザの爪によって傷が付くことなどを防止するために、映像表示部３０５を保護する。
【００３６】
そして、ユーザがまぶた４０３を開ける際には、まぶた４０３の裏面に装着された映像表示部３０５と、レンズ４０４とは、まぶた４０３に連動して動く。図５に示すように、ユーザがまぶた４０３を開けている状態のときは、まぶた４０３の裏面に装着された映像表示部３０５と、レンズ４０４とは、ユーザのまぶた４０３に連動して動き、ユーザの視界から外れる。
【００３７】
図６は、ユーザがまぶた裏表示装置を使用している状態の一例を示す図である。外部装置６０１は、制御部３０１と、信号受信部３０２と、信号処理部３０３と、ユーザ操作部３０６と、を有している。なお、映像表示部３０５と、検知部３０４と、外部装置６０１とは、配線６０２によって接続されている。
【００３８】
ユーザは、外部装置６０１に設けられたユーザ操作部３０６の図示しない押しボタン式スイッチを押下することによって、まぶた裏表示装置３００の電源ＯＮ／ＯＦＦや、たとえばテレビを視ている場合は、ユーザが所望するチャンネルへ変えるための入力操作をおこなう。なお、ユーザがまぶたを強く閉じた場合の、たとえばまぶたの筋肉の強い収縮を検知部３０４が検知することによってまぶた裏表示装置３００の電源をＯＮにするように構成してもよい。
【００３９】
図６に示すように、ユーザは、まぶた４０３を閉じて、映像表示部３０５に表示された映像を視る。このとき、検知部３０４が左右両方のまぶた４０３の表面に設けられており、まぶた４０３の開閉を検知する。さらに、ユーザの入力操作を受け付けることができるユーザ操作部３０６を有した外部装置６０１が設けられている。なお、まぶた４０３の表面に設けられた検知部３０４は、左右のまぶた４０３のどちらか一方だけに設けるようにしてもよい。
【００４０】
（まぶた裏表示装置３００の処理の内容）
つぎに、実施例１にかかるまぶた裏表示装置３００の処理の内容について説明する。図７は、実施例１にかかるまぶた裏表示装置の処理の内容を示すフローチャートである。図７のフローチャートにおいて、まず、ユーザが映像表示部３０５をまぶた４０３の裏面に装着し、まぶた裏表示装置３００の電源ＯＮにすると、まぶた裏表示装置３００は、処理を開始する。
【００４１】
まず、信号受信部３０２がたとえばテレビ局などから送信される映像信号を受信したか否かを判断する（ステップＳ７０１）。ここで、映像信号を受信するのを待って、受信した場合（ステップＳ７０１：Ｙｅｓ）は、映像表示部３０５が表示できる映像信号に変換するために、信号処理部３０３は、信号受信部３０２が受信した映像信号を処理する（ステップＳ７０２）。
【００４２】
つづいて、制御部３０１は、まぶた４０３の表面に設けられている検知部３０４がまぶた４０３が閉じていることを検知したか否かを判断する（ステップＳ７０３）。ここで、まぶた４０３が閉じていることを検知するのを待って、閉じていることを検知した場合（ステップＳ７０３：Ｙｅｓ）は、信号処理部３０３は、制御部３０１の制御に従って、映像表示部３０５にステップＳ７０２において処理された映像信号を出力する（ステップＳ７０４）。
【００４３】
映像表示部３０５は、信号処理部３０３によって出力された映像信号に基づいて、映像を表示する（ステップＳ７０５）。つづいて、制御部３０１は、検知部３０４がまぶた４０３が開いていることを検知したか否かを判断する（ステップＳ７０６）。ここで、検知部３０４がまぶた４０３が開いていることを検知しなかった場合（ステップＳ７０６：Ｎｏ）は、ユーザがユーザ操作部３０６を介しておこなう、まぶた裏表示装置３００の処理に対するユーザからの終了要求を受け付けたか否かを判断する（ステップＳ７０７）。ここで、ユーザからの終了要求を受け付けた場合（ステップＳ７０７：Ｙｅｓ）は、一連の処理を終了する。また、ユーザからの終了要求を受け付けなかった場合（ステップＳ７０７：Ｎｏ）は、上記ステップＳ７０６に戻り処理を繰り返す。
【００４４】
なお、ステップＳ７０６において、検知部３０４がまぶた４０３が開いていることを検知した場合（ステップＳ７０６：Ｙｅｓ）は、信号処理部３０３は、映像表示部３０５に対する処理後の映像信号の出力を停止する（ステップＳ７０８）。そして、映像表示部３０５は、映像の表示を停止する（ステップＳ７０９）。つづいて、ユーザがユーザ操作部３０６を介しておこなう、まぶた裏表示装置３００の処理に対するユーザからの終了要求を受け付けたか否かを判断する（ステップＳ７１０）。ここで、ユーザからの終了要求を受け付けた場合（ステップＳ７１０：Ｙｅｓ）は、一連の処理を終了する。また、ユーザからの終了要求を受け付けなかった場合（ステップＳ７１０：Ｎｏ）は、上記ステップＳ７０３に戻り処理を繰り返す。
【００４５】
以上説明したように、実施例１によれば、ユーザは、まぶた４０３の裏面に映像表示部３０５を装着することによって、まぶた４０３を閉じた状態でも、テレビ放送などの映像信号を信号受信部３０２によって受信することにより、テレビ放送を視ることができる。また、映像表示部３０５は、まぶた４０３の動きに連動して動くため、ユーザがまぶた４０３を開けた状態のときは、映像表示部３０５は、まぶた４０３とともに動き、ユーザの視界から外れる。
【００４６】
このため、ユーザは、まぶた裏表示装置３００を装着したまま、まぶた４０３を開けるだけで実世界を見ることができ、実世界を見るためにまぶた裏表示装置３００をはずす必要がない。さらに、まぶた裏表示装置３００を装着したまま実世界を見ることができるため、ユーザは、まぶた裏表示装置３００を装着したまま移動をおこなうことができ、携帯性に優れている。
【００４７】
また、映像表示部３０５としてディスプレイ自体が自発光する有機ＥＬディスプレイなどを用いて構成するため、バックライトを設けるスペースを必要とせず、かつ映像表示部３０５自体も非常に薄いディスプレイであるため、目の中に映像表示部３０５を設けるためのスペースの削減を図ることができる。
【００４８】
さらに、ユーザがまぶた４０３の開閉の状態にかかわらず、まぶた裏表示装置３００の電源をＯＦＦにすることができる。このため、ユーザがまぶた４０３を閉じているときに常に映像が表示されてしまうなどの問題が生じることはなく、ユーザの意思に従ってまぶた裏表示装置３００に映像を表示させることができる。
【実施例２】
【００４９】
つづいて、実施例２にかかるまぶた裏表示装置について説明する。実施例２にかかるまぶた裏表示装置は、実施例１のまぶた裏表示装置３００において、たとえば外部から映像信号などを信号受信部３０２によって受信するかわりに、まぶた裏表示装置内に設けられた記憶部から映像信号などの信号を取得する構成とするものである。さらに、記憶部から映像信号とともに、音声信号も取得することによって映像と音声とを視聴できる構成とする。
【００５０】
（まぶた裏表示装置のハードウェア構成）
図８を用いて、実施例２にかかるまぶた裏表示装置のハードウェア構成について説明する。図８は、実施例２にかかるまぶた裏表示装置のハードウェア構成の一例を示すブロック図である。なお、実施例２にかかるまぶた裏表示装置のハードウェア構成において、実施例１で説明したものと同様のものは、同一の符号を附して説明を省略する。
【００５１】
図８において、まぶた裏表示装置８００は、制御部３０１と、信号取得部８０１と、記憶部８０２と、信号処理部３０３と、音声出力部８０３と、スピーカ８０４と、検知部３０４と、映像表示部３０５と、ユーザ操作部３０６と、図示しない電源部と、によって構成されている。この実施例では、映像表示部３０５がユーザのまぶたの裏に装着され、他の機能部は外装されている形態である。
【００５２】
信号取得部８０１は、記憶部８０２に記憶されている、映画などの各種情報を読み込み、映像信号や音声信号などを取得する。信号取得部８０１は、小型の高密度記録媒体、あるいは、たとえばＨＤ（Ｈａｒｄ  Ｄｉｓｋ）ドライブ、ＤＶＤ（Ｄｉｇｉｔａｌ  Ｖｅｒｓａｔｉｌｅ  Ｄｉｓｋ）ドライブ、ＣＤ−Ｒ（Ｃｏｍｐａｃｔ  Ｄｉｓｋ  Ｒｅｃｏｒｄａｂｌｅ）ドライブなどによって構成される。また、信号取得部８０１は、受信装置を兼ね備え、外部から電波、赤外線などの無線で送信されてくる映像信号を受信することによって、映像信号を取得する構成としてもよい。
【００５３】
記憶部８０２には、たとえば映画の情報、絵本や小説などの書籍の各種情報や各種制御プログラムがコンピュータに読み取り可能な状態で記憶されている。この記憶部８０２は、たとえば小型の高密度記録媒体、ＨＤ、ＤＶＤ、ＣＤ、メモリーカードなどによって実現することができる。
【００５４】
信号処理部３０３は、たとえばビデオボードなどによって構成されており、信号取得部８０１によって取得した映像信号を映像表示部３０５が表示できる映像信号に変換するための処理をおこなう。そして、処理後の映像信号を制御部３０１の制御に従って、映像表示部３０５に出力する。具体的な処理の内容については、上述した実施例１と同様のため、説明を省略する。
【００５５】
音声出力部８０３は、信号取得部８０１によって取得した音声信号の接続されたスピーカ８０４への出力を制御する。ここで、スピーカ８０４は、一つであってもよいし、複数であってもよい。音声出力部８０３は、たとえば音声ディジタル情報のＤ／Ａ変換をおこなうＤ／Ａコンバータと、Ｄ／Ａコンバータから出力される音声アナログ信号を増幅する増幅器によって構成することができる。
【００５６】
スピーカ８０４は、音声出力部８０３から出力される音声信号によって、たとえば映画などの音声を再生する。ここで、たとえばこのスピーカ８０４にヘッドフォンやイヤホンなどを設け、使用しているユーザ以外の周りに音声が聞こえないようにするなど、適宜、出力形態を変更できるように構成してもよい。
【００５７】
なお、実施の形態にかかる表示装置１００の機能的構成である検知部１０１は検知部３０４によって、表示部１０２は映像表示部３０５およびスピーカ８０４によって、表示制御部１０３は制御部３０１、信号処理部３０３および音声出力部８０３によって、それぞれその機能を実現する。
【００５８】
また、まぶた裏表示装置８００の映像表示部３０５がユーザのまぶたに連動して、動く際の動作は、上述した実施例１において説明した、図４、図５と同様であるため、説明を省略する。また、以降において、実施例１で既に説明した部分と重複する箇所には、同一の符号を附して説明を省略する。
【００５９】
図９は、ユーザがまぶた裏表示装置を使用している状態の一例を示す図である。外部装置９０２は、制御部３０１と、信号取得部８０１と、記憶部８０２と、信号処理部３０３と、音声出力部８０３と、ユーザ操作部３０６と、を有している。なお、映像表示部３０５と、検知部３０４と、外部装置９０２とは、配線６０２によって接続されている。さらに、イヤホン９０１には、スピーカ８０４が内蔵されており、イヤホン９０１と、外部装置９０２とは、配線９０３によって接続されている。上述した実施例１での説明と同様に、ユーザが外部装置９０２に設けられたユーザ操作部３０６の押しボタン式スイッチを押下することによって、ユーザが所望する入力操作をおこなう。
【００６０】
図９に示すように、ユーザは、まぶた４０３を閉じて、まぶたの裏に装着された映像表示部３０５に表示された映像を視る。このとき、検知部３０４が左右両方のまぶた４０３の表面に設けられており、まぶた４０３の開閉を検知する。また、ユーザの耳には、イヤホン９０１が装着されている。さらに、ユーザの入力操作を受け付けることができるユーザ操作部３０６を有した外部装置９０２が設けられている。
【００６１】
（まぶた表示装置８００の処理の内容）
つぎに、実施例２にかかるまぶた裏表示装置８００の処理の内容について説明する。図１０は、実施例２にかかるまぶた裏表示装置の処理の内容を示すフローチャートである。図１０のフローチャートにおいて、まず、ユーザが映像表示部３０５をまぶた４０３の裏面に装着し、さらに、イヤホン９０１をユーザの耳に装着し、まぶた裏表示装置８００の電源ＯＮにすると、まぶた裏表示装置８００は、処理を開始する。
【００６２】
まず、信号取得部８０１によって記憶部８０２に記憶されている、たとえば映画の情報、絵本や小説などの書籍の各種情報を読み込み、映像信号や音声信号などの各種信号を取得したか否かを判断する（ステップＳ９０１）。ここで、各種信号を取得するのを待って、取得した場合（ステップＳ９０１：Ｙｅｓ）は、信号処理部３０３は、映像表示部３０５が表示できる信号に変換するために、信号取得部８０１が取得した映像信号を処理する（ステップＳ９０２）とともに、音声出力部８０３は、スピーカ８０４が再生できる信号に変換するために、信号取得部８０１が取得した音声信号を処理する（ステップＳ９０３）。
【００６３】
つづいて、制御部３０１は、まぶた４０３の表面に設けられている検知部３０４がまぶた４０３が閉じていることを検知したか否かを判断する（ステップＳ９０４）。ここで、まぶた４０３が閉じていることを検知するのを待って、閉じていることを検知した場合（ステップＳ９０４：Ｙｅｓ）は、信号処理部３０３は、制御部３０１の制御に従って、映像表示部３０５に対して、ステップＳ９０２において処理された映像信号を出力する（ステップＳ９０５）。さらに、音声出力部８０３は、制御部３０１の制御に従って、スピーカ８０４に対して、ステップＳ９０３において処理された音声信号を出力する（ステップＳ９０６）。なお、ステップＳ９０５とステップＳ９０６とにおいて、おこなう処理は、順番が入れ替わってもよいし、同時であってもよい。
【００６４】
映像表示部３０５は、信号処理部３０３によって出力された映像信号に基づいて、映像を表示する（ステップＳ９０７）とともに、スピーカ８０４は、音声出力部８０３によって出力された音声信号に基づいて、音声を再生する（ステップＳ９０８）。
【００６５】
つづいて、制御部３０１は、検知部３０４がまぶた４０３が開いていることを検知したか否かを判断する（ステップＳ９０９）。ここで、検知部３０４がまぶた４０３が開いていることを検知しなかった場合（ステップＳ９０９：Ｎｏ）は、ユーザがユーザ操作部３０６を介しておこなう、まぶた裏表示装置３００の処理に対するユーザからの終了要求を受け付けたか否かを判断する（ステップＳ９１０）。ユーザからの終了要求を受け付けた場合（ステップＳ９１０：Ｙｅｓ）は、一連の処理を終了する。また、ユーザからの終了要求を受け付けなかった場合（ステップＳ９１０：Ｎｏ）は、上記ステップＳ９０９に戻り処理を繰り返す。
【００６６】
なお、ステップＳ９０９において、検知部３０４がまぶた４０３が開いていることを検知した場合（ステップＳ９０９：Ｙｅｓ）は、信号処理部３０３は、映像表示部３０５に対するステップＳ９０２において処理された映像信号の出力を停止する（ステップＳ９１１）とともに、音声出力部８０３は、スピーカ８０４に対するステップＳ９０３において処理された音声信号の出力を停止する（ステップＳ９１２）。そして、映像表示部３０５は、映像の表示を停止する（ステップＳ９１３）とともに、スピーカ８０４は、音声の再生を停止する（ステップＳ９１４）。
【００６７】
つづいて、ユーザがユーザ操作部３０６を介しておこなう、まぶた裏表示装置３００の処理に対するユーザからの終了要求を受け付けたか否かを判断する（ステップＳ９１５）。ユーザからの終了要求を受け付けた場合（ステップＳ９１５：Ｙｅｓ）は、一連の処理を終了する。また、ユーザからの終了要求を受け付けなかった場合（ステップＳ９１５：Ｎｏ）は、上記ステップＳ９０４に戻り処理を繰り返す。
【００６８】
以上説明したように、実施例２によれば、ユーザは、まぶた４０３の裏面に映像表示部３０５を装着することによって、まぶた４０３を閉じた状態でも、記憶部８０２に記憶された映画などの映像信号を信号取得部８０１によって取得することにより、映画を視ることができる。また、映像表示部３０５は、まぶた４０３の動きに連動して動くため、ユーザが目を開けた状態のときは、映像表示部３０５は、まぶた４０３とともに動き、ユーザの視界から外れる。
【００６９】
このため、ユーザは、まぶた裏表示装置８００を装着したまま、まぶた４０３を開けるだけで実世界を見ることができ、実世界を見るためにまぶた裏表示装置８００をはずす必要がない。さらに、まぶた裏表示装置８００を装着したまま実世界を見ることができるため、ユーザは、まぶた裏表示装置８００を装着したまま移動をおこなうことができ、携帯性に優れている。
【００７０】
また、映像表示部３０５としてディスプレイ自体が自発光する有機ＥＬディスプレイなどを用いて構成するため、バックライトを設けるスペースを必要とせず、かつ映像表示部３０５自体も非常に薄いディスプレイであるため、目の中に映像表示部３０５を設けるためのスペースの省スペース化を図ることができる。
【００７１】
さらに、記憶部８０２を設けることによって、ユーザが視聴をおこなうための各種情報を、あらかじめ記憶部８０２に記憶させておくことができ、外部のたとえばテレビ局などからの放送信号を受信してユーザが視聴をおこなうための各種情報を得る必要がない。このため、たとえばテレビ局などからの放送信号を受信できない場所においても、ユーザは、まぶた裏表示装置８００を使用することができ、ユーザがまぶた裏表示装置８００を使用する際の利便性を図ることができる。
【００７２】
また、スピーカ８０４を設けることによって音声を再生することができるため、ユーザは、映像とともに音声を視聴することができる。さらに、スピーカ８０４をイヤホン９０１や図示しないヘッドフォンなどに内蔵し、ユーザがイヤホン９０１などを装着することによって、まぶた裏表示装置８００を使用する際に、使用しているユーザの周りに音声が聞こえることを防ぐことができ、たとえば電車の中でまぶた裏表示装置８００を使用することができるなど携帯性に優れている。また、スピーカ８０４をユーザのこめかみ辺りに貼り付けて、音の振動がユーザの頭蓋骨に伝わり、ユーザが音とし感じとることができる骨伝導方式を採用する構成としてもよい。
【００７３】
なお、上記各実施例に限らず、つぎのようにしてもよい。左右両方のまぶた４０３に装着された映像表示部３０５にそれぞれ異なる映像信号を出力するように信号処理部３０３を制御する構成としてもよい。具体的に、たとえばテレビカメラによって撮影するとき、ユーザが左目で見るための映像と、右目で見るための映像と、を撮影する。そして、それぞれの映像の映像信号をまぶた裏表示装置８００の信号受信部３０２によって受信する、または、信号取得部８０１によって取得する。
【００７４】
信号処理部３０３は、受信、または、取得した映像信号を、左目で見るための映像の映像信号は、左のまぶた４０３に装着した映像表示部３０５に、右目で見るための映像の映像信号は、右のまぶた４０３に装着した映像表示部３０５にそれぞれ出力する。そして、ユーザは、左右のまぶた４０３の裏面に装着された映像表示部３０５に表示された異なる映像を視ることによって、立体的な映像を視ることができる。
【００７５】
また、まぶた裏表示装置は、信号受信部３０２と信号取得部８０１と記憶部８０２とを含んだ構成としてもよい。このようにすれば、ユーザのいる場所に応じて、ユーザが映像信号を取得する方法を選択することによって、いつでも映像を視聴することができる。ユーザのいる場所が、たとえばテレビ局などからの放送信号を受信できる場所である場合は、信号受信部３０２によってテレビ局からの放送信号を受信して、ユーザは、テレビ放送などの映像を視聴することができる。さらに、ユーザのいる場所が、たとえばテレビ局などからの放送信号を受信できない場所であれば、記憶部８０２に記憶されている映画などの情報を取得することによって、ユーザは、映画などの映像を視聴することができる。
【００７６】
また、制御部３０１、信号受信部３０２、信号処理部３０３をシリコン半導体で形成し、映像表示部３０５と同様にまぶた４０３の裏面に装着する構成としてもよい。あるいは、まぶた４０３の裏面に装着する映像表示部３０５として使用する有機ＥＬディスプレイの中に、制御部３０１、信号受信部３０２、信号処理部３０３、を設ける構成としてもよい。これにより、図６に示すような検知部３０４と、映像表示部３０５と、外部装置６０１とを接続する配線６０２を取り除くことができる。
【００７７】
なお、ユーザがまぶた裏表示装置８００を使用中に、検知部３０４がユーザのまぶた４０３が開いたことを検知した場合は、映像の表示を停止するとともに、音声の再生も停止する構成であったが、映像の表示と、音声の再生とを継続しておこなう構成にしてもよい。さらに、映像を表示する際に輝度を落として表示したり、省電力で表示する構成でもよい。このようにすれば、ユーザがまぶた４０３を開いた状態に映像表示部３０５に映像が表示されていても、ユーザがまぶしく感じるなどの問題を防ぐことができ、電力の消費を抑えることができる。
【００７８】
また、ユーザがまぶた裏表示装置８００を使用中に、検知部３０４がユーザのまぶた４０３が開いたことを検知した場合に、音声の再生音量を下げる構成としてもよい。このようにすれば、ユーザがまぶた４０３を開けた状態でも、たとえば映画の進行状況や内容を音声によって確認することができ、さらに、ユーザの周辺の音声をユーザが聞くこともできる。
【００７９】
また、ユーザがまぶた４０３を開けた状態の場合に、映像だけを表示する、あるいは、音声だけを再生する構成としてもよい。なお、検知部３０４において、まばたきの回数を検知し、３回まばたきをした場合には、まぶた裏表示装置３００、あるいはまぶた裏表示装置８００の電源をＯＦＦにする構成としてもよい。
【００８０】
さらに、検知部３０４がユーザの眼球４０１の動きを検知する、またはユーザの黒目領域、あるいは白目領域を検知する構成としてもよい。この場合、検知部３０４の検知結果に基づいて、制御部３０１がユーザの眼球４０１が上を向いている状態と判断したときは、まぶた裏表示装置３００、あるいはまぶた裏表示装置８００の電源をＯＦＦにする構成としてもよい。このようにすることにより、ユーザは、操作ボタンを押すなどの操作を意識することなく、映像や音楽を手ぶらで視聴することができる。
【００８１】
なお、本実施の形態で説明した表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８２】
【図１】本実施の形態にかかる表示装置の機能的構成の一例を示すブロック図である。
【図２】本実施の形態にかかる表示装置の処理の内容を示すフローチャートである。
【図３】実施例１にかかるまぶた裏表示装置のハードウェア構成の一例を示すブロック図である。
【図４】映像表示部を装着時にユーザがまぶたを閉じている状態を拡大して示す側面図である。
【図５】映像表示部を装着時にユーザがまぶたを開けている状態を拡大して示す側面図である。
【図６】ユーザがまぶた裏表示装置を使用している状態の一例を示す図である。
【図７】実施例１にかかるまぶた裏表示装置の処理の内容を示すフローチャートである。
【図８】実施例２にかかるまぶた裏表示装置のハードウェア構成の一例を示すブロック図である。
【図９】ユーザがまぶた裏表示装置を使用している状態の一例を示す図である。
【図１０】実施例２にかかるまぶた裏表示装置の処理の内容を示すフローチャートである。
【符号の説明】
【００８３】
１００  表示装置
１０１  検知部
１０２  表示部
１０３  表示制御部
【図１】
2007127716.tif 000003
【図２】
2007127716.tif 000004
【図３】
2007127716.tif 000005
【図４】
2007127716.tif 000006
【図５】
2007127716.tif 000007
【図６】
2007127716.tif 000008
【図７】
2007127716.tif 000009
【図８】
2007127716.tif 000010
【図９】
2007127716.tif 000011
【図１０】
2007127716.tif 000012